(57)【要約】  給水キャビティと前記給水キャビティに連通する循環水キャビティとを備える循環ポンプ手段と、前記給水キャビティ内に設けられて前記循環ポンプ手段に回動可能に接続される濾過手段であって、ブレードと、前記給水キャビティ中の水が前記濾過手段により濾過されて前記循環水キャビティ内に入るように、前記循環水キャビティと連通する内部キャビティとを備える濾過手段とを備える洗濯機の循環濾過装置。【選択図】図１
2021512740.tif 000002
【特許請求の範囲】
【請求項１】
給水キャビティ（１１１１）と前記給水キャビティ（１１１１）に連通する循環水キャビティ（１１１２）とを備える循環ポンプ手段（１）と、
前記給水キャビティ（１１１１）内に設けられて前記循環ポンプ手段（１）に回動可能に接続される濾過手段（２）であって、ブレード（２２）と、前記給水キャビティ（１１１１）内の水が前記濾過手段（２）により濾過されて前記循環水キャビティ（１１１２）内に入るように、前記循環水キャビティ（１１１２）に連通する内部キャビティ（２５）と、を備える濾過手段（２）と、
を備える、洗濯機の循環濾過装置。
【請求項２】
前記濾過手段（２）は、前記循環ポンプ手段（１）に回動可能に接続された濾過本体（２１）を備え、
前記濾過本体（２１）の外壁に前記ブレード（２２）が設けられ、
前記内部キャビティ（２５）が前記濾過本体（２１）に設けられている、
請求項１に記載の洗濯機の循環濾過装置。
【請求項３】
前記濾過本体（２１）には、前記内部キャビティ（２５）と連通する濾過孔（２１１）が設けられている、
請求項２に記載の洗濯機の循環濾過装置。
【請求項４】
前記濾過本体（２１）の前記循環水キャビティ（１１１２）に近い第１端に設けられたスカート構造（２３）を更に備え、
前記スカート構造（２３）は、前記循環水キャビティ（１１１２）内に入り込み、前記循環水キャビティ（１１１２）と連通し、
前記スカート構造（２３）の直径は、前記濾過手段（２）から前記循環水キャビティ（１１１２）に近づく方向へ徐々に大きくなる、
請求項２に記載の洗濯機の循環濾過装置。
【請求項５】
前記濾過本体（２１）の前記循環水キャビティ（１１１２）と連通していない第２端に脱落防止用凸部（２４）が設けられ、
前記脱落防止用凸部（２４）は、前記循環ポンプ手段（１）のハウジングに係設されている、
請求項２に記載の洗濯機の循環濾過装置。
【請求項６】
前記循環ポンプ手段（１）は、
給水口（１１１３）および出水口（１１１４）を備える循環ポンプ（１１）と、
前記循環ポンプ（１１）に接続されて循環水を洗濯機（１００）内に搬送するように前記循環ポンプ（１１）を駆動する循環モータ（１２）と、を備える、
請求項１〜５のいずれか１項に記載の洗濯機の循環濾過装置。
【請求項７】
前記循環ポンプ（１１）は、ポンプ本体（１１１）およびポンプ蓋（１２）を備え、
前記ポンプ蓋（１２）は、前記濾過手段（２）に回動可能に接続され、
前記給水口（１１１３）および前記出水口（１１１４）は、前記ポンプ本体（１１１）に設けられ、
前記給水口（１１１３）が前記給水キャビティ（１１１１）と連通し、
前記出水口（１１１４）が前記循環水キャビティ（１１１２）と連通する、
請求項６に記載の洗濯機の循環濾過装置。
【請求項８】
排水弁または排水ポンプ手段である排水手段（３）を更に備える、
請求項１に記載の洗濯機の循環濾過装置。
【請求項９】
前記排水手段（３）は、
前記給水キャビティ（１１１１）と連通する入口（３１２）と、排水するように構成される出口（３１３）と、が設けられた排水ポンプ（３１）と、
前記排水ポンプ（３１）に接続されて廃水を洗濯機（１００）外に排出するように前記排水ポンプ（３１）を駆動する排水モータ（３２）と、
を備える排水ポンプ手段である、
請求項８に記載の洗濯機の循環濾過装置。
【請求項１０】
請求項１〜９のいずれか１項に記載の洗濯機の循環濾過装置を備える、洗濯機。
【発明の詳細な説明】
【技術分野】
【０００１】
本願は、出願日が２０１７年１２月２２日で、出願番号が２０１７１１４０１４６４．３である中国特許出願に対して、優先権の利益を主張するものであり、該出願の全ての内容を引用により本願に援用する。
【０００２】
本開示は、洗濯機の技術分野に関し、例えば、洗濯機の循環濾過装置および洗濯機に関する。
【背景技術】
【０００３】
関連技術において、洗濯機は、パルセータ式洗濯機でもドラム式洗濯機でも、いずれも排水および内部循環機能を有し、内部循環機能は、主に循環ポンプ手段により、洗濯水を循環管路を介して洗濯機内の洗濯する必要のある位置（例えば、ドア、ドアシール、内槽、衣類等）まで搬送し、更に洗濯水の循環利用を実現し、その後、排水ポンプ手段により洗濯廃水を洗濯機外に排出することである。
【０００４】
関連技術における洗濯機の循環ポンプ手段内には、循環利用する洗濯水を濾過することができ、糸屑等の不純物が循環ポンプ手段に入って循環ポンプ手段の故障を引き起こし、更に循環ポンプの性能に影響を与えること、および循環水が洗濯機内に入って洗濯機または衣類を２次汚染することを防止する濾過手段が設けられている。通常、濾過手段内に濾過キャビティが設けられ、濾過手段に濾過キャビティと導通する給水口、出水口、および排水口が設けられ、濾過キャビティ内に取り外し可能な濾過部材が設けられ、濾過部材が水流方向で給水口と出水口との間に位置し、洗濯水が濾過キャビティに入って濾過部材により濾過され、糸屑等の不純物は濾過キャビティ内に集まり、排水ポンプ手段が濾過手段に接続されて排水口と導通し、洗濯廃水は洗濯キャビティを洗い流すことができるが、濾過時に糸屑等の不純物を濾過キャビティに集め、濾過手段が固定設置されているため、濾過手段が長時間にわたって濾過を行うと、濾過キャビティ内に集まった糸屑等の不純物は濾過手段を詰まりやすくなる。
【発明の概要】
【発明が解決しようとする課題】
【０００５】
本開示は、濾過手段が洗濯水を濾過する際に糸屑を濾過キャビティ内に集めることにより、濾過手段を詰まりやすいという問題を解決する洗濯機の循環濾過装置および洗濯機を提供する。
【課題を解決するための手段】
【０００６】
給水キャビティと前記給水キャビティに連通する循環水キャビティとを備える循環ポンプ手段と、前記給水キャビティ内に設けられて前記循環ポンプ手段に回動可能に接続される濾過手段であって、ブレードと、前記給水キャビティ内の水が前記濾過手段により濾過されて前記循環水キャビティ内に入るように、前記循環水キャビティと連通する内部キャビティとを備える濾過手段とを備える洗濯機の循環濾過装置。
【０００７】
一実施例は、上記洗濯機の循環濾過装置を備える洗濯機を更に提供する。
【図面の簡単な説明】
【０００８】
【図１】一実施例に係る洗濯機の循環濾過装置の分解模式図である。
【図２】一実施例に係る洗濯機の循環濾過装置の正面図である。
【図３】一実施例に係る洗濯機の循環濾過装置の平面図である。
【図４】図３におけるＡ−Ａ線に沿う断面図である。
【図５】図３におけるＢ−Ｂ線に沿う断面図である。
【図６】一実施例に係る洗濯機の模式図である。
【発明を実施するための形態】
【０００９】
本実施形態は、洗濯機の循環濾過装置を提供し、図１、図２および図６に示すように、洗濯機の循環濾過装置は、循環ポンプ手段１と、排水手段３と、濾過手段２とを備え、循環ポンプ手段１は循環管路２０を介して洗濯機に接続されて洗濯水の循環利用を実現する。一実施例において、循環ポンプ手段１は循環ポンプ１１および循環モータ１２を備え、循環ポンプ１１はポンプ本体１１１およびポンプ蓋１１２を備え、ポンプ本体１１１とポンプ蓋１１２との間にシールリング１１３が設けられている。シールリング１１３によりポンプ本体１１１とポンプ蓋１１２との間のシールを補強する。図１に示すように、ポンプ本体１１１に給水口１１１３および出水口１１１４が設けられ、ポンプ本体１１１内に給水キャビティ１１１１と給水キャビティ１１１１に連通する循環水キャビティ１１１２とが設けられ、給水キャビティ１１１１に開口が設けられ、該開口はポンプ蓋１１２により閉塞され、給水キャビティ１１１１は給水口１１１３および出水口１１１４と連通し、給水キャビティ１１１１は給水口１１１３を介して洗濯機１００の外槽１０と連通し、外槽１０内の水が給水キャビティ１１１１内に流入し、出水口１１１４に接続された循環管路２０を介して洗濯機１００内に流入し、水の循環利用を実現する。循環水はドア、ドアシール、内槽（内部ドラム）、衣類等をスプレーすることができる。循環モータ１２は循環ポンプ１１に接続されて循環水を洗濯機１００内に搬送するように循環ポンプ１１を駆動することができる。
【００１０】
図３、図４および図５に示すように、濾過手段２は循環ポンプ手段１の給水キャビティ１１１１内に設けられて循環ポンプ手段１に回動可能に接続され、濾過手段２の内部キャビティ２５は循環ポンプ手段１の循環水キャビティ１１１２と連通し、洗濯機１００の外槽１０内の水は循環ポンプ手段１の給水キャビティ１１１１内に流入し、水は濾過手段２の外壁から濾過手段２の内部キャビティ２５に入り、水の濾過を実現し、その後、濾過した水は濾過手段２の内部キャビティ２５と連通する循環水キャビティ１１１２内に入り、循環水キャビティ１１１２内の回転羽根車１１１６により水の循環利用を実現し、水中の不純物は濾過手段２により、給水キャビティ１１１１と濾過手段２との間の空間内に遮断され、糸屑等の不純物の濾過を実現し、糸屑等の不純物は濾過されて濾過手段２と給水キャビティ１１１１との間の空間内に集まり、排水手段３により排出される。濾過手段２は、ポンプ蓋１１２と対向する位置に設けられ、ポンプ蓋１１２を開けて濾過手段２をクリーニングすることができる。
【００１１】
一実施例において、図１および図４に示すように、濾過手段２は、濾過本体２１と濾過本体２１の外壁に設けられたブレード２２とを備える。ブレード２２はストライプ状、スパイラル状等の構造であってもよく、本実施例において、濾過手段２の軸方向に沿って複数のストライプ状のブレード２２が設けられ、複数のストライプ状のブレード２２は濾過手段２の外壁に周方向に均一に分布され、ブレード２２の設置により、給水キャビティ１１１１に入った水は濾過手段２を高速回転させ、濾過手段２の詰まりを防止することができる。濾過本体２１に濾過孔２１１が設けられている。濾過孔２１１の設置により、水の濾過が実現され、糸屑が濾過手段２の内部キャビティ２５内に入ることが防止される。
【００１２】
図１に示すように、濾過本体２１の第１端は循環水キャビティ１１１２と連通し、濾過本体２１の第２端は循環水キャビティ１１１２と連通せず、濾過本体２１の第２端に脱落防止用凸部２４が設けられ、脱落防止用凸部２４は循環ポンプ手段１のポンプ蓋１１２に係設され、且つ、濾過手段２はポンプ蓋１１２に対して回動できる。脱落防止用凸部２４の設置により、濾過手段２と循環ポンプ手段１との離脱を防止することができる。
【００１３】
濾過本体２１の循環水キャビティ１１１２に近い一端にスカート構造２３が設けられ、スカート構造２３は循環水キャビティ１１１２内に入る込み、スカート構造２３の直径は、濾過手段２から循環水キャビティ１１１２に近づく方向へ徐々に大きくなる。スカート構造２３の設置により、濾過手段２と循環水キャビティ１１１２との間の隙間を効果的に低減することができ、濾過されていない循環水が循環水キャビティ１１１２内に入ることが回避される。
【００１４】
図１および図４に示すように、ポンプ本体１１１には残水口１１１５が更に設けられ、残水口１１１５は前記給水キャビティ１１１１と連通し、残水口１１１５に残水管が接続され、給水キャビティ１１１１内に残った水は残水管を介して洗濯機１００外に排出され、給水キャビティ１１１１内に残留水が溜まることを回避する。
【００１５】
図５に示すように、排水手段３は給水キャビティ１１１１と連通し、濾過手段２と給水キャビティ１１１１との間の空間内の濾過不純物は、水流により排水手段３のハウジング内に搬送され、排水手段３により洗濯機１００外に排出され、濾過手段２を取り外す必要がなくても、濾過手段２のセルフクリーニングを実現することができる。
【００１６】
排水手段３は、排水弁または排水ポンプ手段であってもよい。排水弁は、給水キャビティ１１１１の開閉を制御し、給水キャビティ１１１１内の糸屑等の不純物が洗濯機１００外に排出されることを確保するように構成される。図５に示すように、本実施例において、排水ポンプ手段を例とし、図１、図３および図５に示すように、排水ポンプ手段は排水ポンプ３１および排水モータ３２を備え、排水ポンプ３１に入口３１２および出口３１３が設けられ、入口３１２は給水キャビティ１１１１と導通し、出口３１３は排水管と導通し、排水モータ３２は排水ポンプ３１に接続されて廃水を洗濯機１００外に排出するように排水ポンプ３１を駆動する。
【００１７】
図５に示すように、排水ポンプ３１のハウジング内に仕切板３１４が設けられ、仕切板３１４は排水ポンプ３１の羽根車３１５と永久磁石３１６との間に設けられている。仕切板３１４の設置により、水が永久磁石３１６内に入って永久磁石３１６にダメージを与えることが防止される。仕切板３１４と排水ポンプ３１のハウジングとの間に環状のシールリング３１７が設けられ、仕切板３１４のシールを補強する。
【００１８】
洗濯機１００が水循環スプレーをオンにすると、循環モータ１２が起動され、外槽１０内の水流は循環ポンプ１１の給水キャビティ１１１１内に入り、循環水は濾過手段２の濾過孔２１１を通過して濾過手段２の内部に入ってから循環水キャビティ１１１２に流入するしかできず、循環水内の不純物が濾過孔２１１により遮断され、給水キャビティ１１１１と濾過手段２との間の空間内に遮断され、且つ、濾過手段２にブレード２２が設けられているため、水流がブレード２２をフラッシングして濾過手段２を高速運転させ、濾過孔２１１に糸屑等の不純物が蓄積されにくく、濾過手段２を詰めることがない。
【００１９】
洗濯機１００が排水をオンにすると、排水モータ３２が起動され、外槽１０内の水流は循環ポンプ１１の給水キャビティ１１１１内に入り、濾過手段２の存在により、水流は濾過手段２とポンプ本体１１１との空間を通過して排水ポンプ３１に流れ、更に排水管を介して排出される。濾過手段２とポンプ本体１１１との間の空間内の濾過不純物は、水流により排水ポンプ３１に搬送されて洗濯機１００外に排出される。
【００２０】
本実施例に係る洗濯機１００は、糸屑の濾過を実現し、衣類に糸屑があるという問題を効果的に回避し、洗濯機１００の循環ポンプ１１内の濾過手段２のクリーニングを実現することができ、消費者はポンプ蓋１１２を開けて濾過手段２を清掃する必要がない。濾過手段２は給水キャビティ１１１１内に回動可能に設けられ、濾過孔２１１の詰まりを効果的に防止することができる。
【００２１】
本実施形態は、上記洗濯機の循環濾過装置と、外槽１０と、循環管路２０とを備え、上記循環ポンプ１１の給水口１１１３が外槽１０に連通し、循環ポンプ１１の出水口１１１４と洗濯機１００との間に上記循環管路２０が設けられている洗濯機１００を提供する。該洗濯機１００は、糸屑が濾過手段２を詰めることを防止し、洗濯機１００のセルフクリーニングを実現することができる。
【符号の説明】
【００２２】
１００    洗濯機
１０    外槽
２０    循環管路
１    循環ポンプ手段
１１    循環ポンプ
１２    循環モータ
１１１    ポンプ本体
１１２    ポンプ蓋
１１３    シールリング
１１１１    給水キャビティ
１１１２    循環水キャビティ
１１１３    給水口
１１１４    出水口
１１１５    残水口
１１１６    回転羽根車
２    濾過手段
２１    濾過本体
２２    ブレード
２３    スカート構造
２４    脱落防止用凸部
２１１    濾過孔
２５    内部キャビティ
３    排水手段
３１    排水ポンプ
３２    排水モータ
３１２    入口
３１３    出口
３１４    仕切板
３１５    羽根車
３１６    永久磁石
３１７    環状シールリング
【図１】
2021512740.tif 000003
【図２】
2021512740.tif 000004
【図３】
2021512740.tif 000005
【図４】
2021512740.tif 000006
【図５】
2021512740.tif 000007
【図６】
2021512740.tif 000008
【国際調査報告】
2021512740.tif 000009
2021512740.tif 000010
2021512740.tif 000011
2021512740.tif 000012